(57)【特許請求の範囲】
【請求項１】
背板（３）の両側に夫々折り線（１ｄ，２ｄ）を介して一方及び他方の各側板（１，２）を連設し、これ等各側板（１，２）の先端側長手方向に夫々折り線（１ｃ，２ｃ）を介して両端側の折り返し片（６，９）を連設し、同じく各側板（１，２）の左右両側には夫々折り線（１ａ，１ｂ，２ａ，２ｂ）を介して左右の端面板（４，５，７，８）を連設し、且つ、上記一方の側板  （１）の左右に連設した各端面板（４，５）の外側端部には、夫々折り線（４ａ，５ａ）を介して少くとも根端部を各端面板（４，５）と同じ横幅に形成し、先端側を根端部の横幅の略半分程の横幅に細長く形成した端面用の折り返し片（１０，１１）を連設する一方、上記他方の側板（２）に連設した各端面板（７，８）の外側端部には、上記の折り返し片（１０，１１）に相対する形状の切欠部  （１２，１３）を形成して成るものを、一枚の板紙Ｔを打抜いて構成すると共に、上記一方及び他方の各側板（１，２）に連設した両端側の折り返し片（６，９）と、上記端面用の折り返し片（１０，１１）を、夫々折り線（１ｃ，２ｃ，４ａ，５ａ）の部分で内折りして各側板（１，２）と各端面板（４，５）の内側面に貼り合せ、更に、上記の各端面板（４，５，７，８）を各折り線（１ａ，１ｂ，２ａ，２ｂ）の部分で内側に直角に折り曲げ、且つ、両側板（１，２）を各内側面同士が相対向するように、また、上記他方の側板（２）に連設した上記各端面板（７，８）の外側面に、上記一方の側板（１）に連設した上記各端面板（４，５）が重なるように、各折り線（１ｄ，２ｄ）の部分で背板（３）に対して直角に折り曲げて、上記重なった各端面板（４，７と５，８）同士を上記端面用の各折り返し片（１０，１１）を上記各切欠部（１２，１３）の位置に嵌め合せるようにして貼り合せることによって、全体を一側に差込口（ＴＸ）を開口したボックス状に組立て構成したことを特徴とするブック等用ケース。
【請求項２】
一方の側板（１）の各端面板（４，５）の外側端部に連設する折り返し片（１０，１１）を、根端部から先端方向に向けて横幅を次第に細くするための傾斜面（１０ａ，１１ａ）を備え、且つ、この傾斜面（１０ａ，１１ａ）の先端側に略矩形状の細長い先端部を連設した略角型形状に形成すると共に、他方の側板（２）の各端面板（７，８）の外側端部に切欠形成する切欠部（１２，１３）の形状を、上記の傾斜面（１０ａ，１１ａ）に相対する形状の傾斜部（１２ａ，１３ａ）を備えた略角型形状に形成したことを特徴とする請求項１記載のブック等用ケース。
【請求項３】
一方の側板（１）の各端面板（４，５）の外側端部に連設する折り返し片（１０，１１）を、根端部側から先端部側に進むに従って次第に横幅を細くするアール面（１０ａ′，１１ａ′）を備えた略湾曲型形状に形成すると共に、他方の側板（２）の各端面板（７，８）の外側端部に切欠形成する切欠部（１２，１３）の形状を、上記のアール面（１０ａ′，１１ａ′）に相対するアール部（１２ａ′，１３ａ′）を備えた略湾曲型形状に形成したことを特徴とする請求項１記載のブック等用ケース。
【請求項４】
背板（３）の両端部に夫々折り線（３ａ，３ｂ）を介して略三角形状を成す左右の舌片（１４，１５）を連設し、他方の側板（２）の両側に連設した各端面板（７，８）の内側端部には、上記舌片（１４，１５）に相当する三角形状の切欠部（７ａ，８ａ）を切欠形成して、他方の側板（２）に連設した各端面板（７，８）の外側面に一方の側板（１）に連設した各端面板（４，５）を重ねて貼り合せる際に、上記各舌片（１４，１５）を各折り線（３ａ，３ｂ）の部分で背板（３）に対して直角に折り曲げることによって、各舌片（１４，１５）を上記切欠部（７ａ，８ａ）の位置に嵌め合せた状態で上記一方の側板  （１）に連設した各端面板（４，５）の内側面に沿接するように構成したことを特徴とする請求項１記載のブック等用ケース。
【発明の詳細な説明】
【０００１】
【発明の属する技術分野】
本発明は、各種のブック類（本）やＣＤ（コンパクトデイスク）等の外ケースとして用いて好適なケースの構造に関するものである。
【０００２】
【従来の技術】
従来のブック等用ケースには、直接印刷された板紙を図９に示すようにケースの形状に組立てた簡易型のケースＲと、芯となるボール紙を印刷された薄紙でくるみ込むようにして貼り合せた構造の豪華型ケースとが存在する。
【０００３】
しかし、図９に示したような簡易型のケースＲの場合は、差込口Ｒａの各周縁ＲＴ…が、いずれも紙の端面がそのまま露出した状態に造られているため、見た目の体裁が非常に悪く、更に、本を出し入れすると周縁ＲＴ…が直ぐに痛んで弱くなり、簡単に型崩れしたり破れたりして汚くなってしまう問題があった。
【０００４】
また、上記のケースＲ自身を丈夫に造って周縁ＲＴ…の補強を図ることも考えられたが、丈夫にするにはその分紙厚を厚く造らなくてはならないので非常に不経済であり、且つ、ケースＲばかりが厚く重くなってしまって、保管或は輸送と云った各種の取扱いが不便になる問題もあった。
【０００５】
これに対して、上記の豪華型ケースの場合は、差込口Ｒａの各周縁ＲＴ…を印刷した薄紙でくるみ込むため、見た目の体裁が良くて、本の出し入れも周縁ＲＴ…を痛めることなくスムーズに行える利点を備えているが、反面、芯となるボール紙を印刷した薄紙でくるみ込むように貼り合せる作業が面倒なため、製造コストが高くなる問題があった。
【０００６】
そこで本出願人は、先の特願平８−６３７４７号（特開平９−２２６２６９号）の出願に見られるように、差込口を構成する表裏の側板と上下の端面板の夫々に折り返し片を連設し、これ等各折り返し片を内側に折り返して貼り合せることにより、差込口の周縁を紙で来るんだような豪華さを備えたブック等用ケースを開発した。
【０００７】
図７は上記の出願に見られるブック等用ケースの差込口部分を拡大して示した断面図、図８はそのＸ−Ｘ線に沿った断面図であって、これ等の図面に於いてＡとＢは上下の側板、ＣとＨは各側板Ａ，Ｂの一側に連設した端面板、ＤとＥとＧは上下の側板Ａ，Ｂと一方の端面板Ｈの各先端部に連設した折り返し片で、側板Ａ，Ｂの折り返し片Ｄ，Ｅを夫々折り返し縁Ｄａ，Ｅａで折り返した後、各側板Ａ，Ｂの内側面に接着し、且つ、上下に重ねて貼り合せた端面板Ｃ，Ｈのうち、外側の端面板Ｈに連設した折り返し片Ｇを折り返し縁Ｇａで折り返して内側の端面板Ｃの内側面に接着することにより、差込口ＴＸの周縁部分を丁度紙でくるんだ状態に形成できる仕組に成っている。
【０００８】
【発明が解決しょうとする問題点】
ところが、上記の如く構成した従来のブック等用ケースは、内外の端面板Ｃ，Ｈを重ねて貼り合せることにより全体をボックス状に組立てた後、最後に外側の端面板Ｈに連設した折り返し片Ｇを折り返し縁Ｇａの部分で内側の端面板Ｃの口端縁をくるむように折り返して、これを内側の端面板Ｃの内側面に接着するため、どおしてもこの部分を機械貼りすることができず、この部分の接着を人手に委ねる必要があって、その結果、製造コスト（組立コスト）を高くしてしまう問題があった。
【０００９】
加えて上記従来のブック等用ケースは、図８に示すように折り返した折り返し片Ｇの部分が内外の端面板Ｃ，Ｈを含めて三枚重ねになるため、差込口ＴＸの端面口縁部分が二枚重ねにした上下の側板Ａ，Ｂの口縁部分に比較して厚肉に成ってしまい、外観的な体裁が悪く、また、ブック類やＣＤ等の縁がこの厚肉部分に引掛って出し入れに支障を来たす問題もあった。
【００１０】
従って本発明の技術的課題は、見た目には差込口の周縁を紙でくるみ込んだような豪華さを備えたブック等用ケースを、機械貼りによる自動成形によって低コストにて提供できるようにすると共に、口縁部分に三枚重ねになる部分を無くして、外観的な体裁を良好にし、且つ、ブック類等の出し入れを円滑に行えるようにすることである。
【００１１】
【課題を解決するための手段】
上記の技術的課題を解決するために本発明で講じた手段は以下の如くである。
（１）  背板の両側に夫々折り線を介して一方及び他方の各側板を連設し、これ等各側板の先端側長手方向に夫々折り線を介して両端側の折り返し片を連設し、同じく各側板の左右両側には夫々折り線を介して左右の端面板を連設し、且つ、上記一方の側板の左右に連設した各端面板の外側端部には、夫々折り線を介して少くとも根端部を各端面板と同じ横幅に形成し、先端側を根端部の横幅の略半分程の横幅に細長く形成した端面用の折り返し片を連設する一方、上記他方の側板に連設した各端面板の外側端部には、上記の折り返し片に相対する形状の切欠部を形成して成るものを、一枚の板紙Ｔを打抜いて構成すると共に、上記一方及び他方の各側板に連設した両端側の折り返し片と、上記端面用の折り返し片を、夫々折り線の部分で内折りして、各側板と各端面板の内側面に貼り合せ、更に、上記の各端面板を各折り線の部分で内側に直角に折り曲げ、且つ、両側板を各内側面同士が相対向するように、また、上記他方の側板に連設した上記各端面板の外側面に、上記一方の側板に連設した上記各端面板が重なるように、各折り線の部分で背板に対して直角に折り曲げて、上記重なった各端面板同士を上記端面用の各折り返し片を上記各切欠部の位置に嵌め合せるようにして貼り合せることによって、全体を一側に差込口を開口したボックス状に組立て構成すること。（請求項１）
【００１２】
（２）  一方の側板の各端面板の外側端部に連設する折り返し片を、根端部から先端方向に向けて横幅を次第に細くするための傾斜面を備え、且つ、この傾斜面の先端側に略矩形状の細長い先端部を連設した略角型形状に形成すると共に、他方の側板の各端面板の外側端部に切欠形成する切欠部の形状を、上記の傾斜面に相対する形状の傾斜部を備えた略角型形状に形成すること。（請求項２）
【００１３】
（３）  一方の側板の各端面板の外側端部に連設する折り返し片を、根端部側から先端部側に進むに従って次第に横幅を細くするアール面を備えた略湾曲型形状に形成すると共に、他方の側板の各端面板の外側端部に切欠形成する切欠部の形状を、上記のアール面に相対するアール部を備えた略湾曲型形状に形成すること。（請求項３）
【００１４】
（４）  背板の両端部に夫々折り線を介して略三角形状を成す左右の舌片を連設し、他方の側板の両側に連設した各端面板の内側端部には、上記舌片に相当する三角形状の切欠部を切欠形成して、他方の側板に連設した各端面板の外側面に一方の側板に連設した各端面板を重ねて貼り合せる際に、上記各舌片を各折り線の部分で背板に対して直角に折り曲げることによって、各舌片を上記切欠部の位置に嵌め合せた状態で上記一方の側板に連設した各端面板の内側面に沿接するように構成すること。（請求項４）
【００１５】
上記（１）で述べた請求項１に係る手段によれば、両端部の折り返し片と左右の端面用折り返し片を夫々折り線の部分で内折りして、これを各側板の内側面と、一方の側板の端面板側に貼り合せれば、全体をボックス状に組立てたケースの差込口周縁部分を丁度紙でくるみ込んだ状態、即ち、豪華型ケースの差込口と同じ状態に造ることができるものであって、見た目が豪華で差込口の周縁も丈夫できれいな造りのブック等用ケースを、一枚の板紙を打抜いて構成する頗るシンプル方法によって低コストにて提供することができると共に、更に、端面用折り返し片を少くとも根端部を各端面板と同じ横幅に形成し、且つ、先端側を細長く形成しているため、この折り返し片を予め連設した端面板の内側面側に折り返して接着しておくことができるから、差込口の周縁部分を丁度紙でくるんだ状態の豪華なケースを、全て機械貼りによって低コストにて製造することを可能にする。
【００１６】
加えて上記（１）で述べた手段によれば、上記の折り返し片を連設した一方の端面板の内側に二重に重ねて接着される他方の端面板の外側端部に、上記折り返し片に相対する形状の切欠部が形成されていて、これ等２枚の端面板を重ねて接着する時に、折り返し片の部分を切欠部の位置に嵌め合せた状態で接着するため、差込口の端面側が折り返えされた折り返し片によって三枚重ねになることがなく、従って、外観的な体裁を良好にすると共に、ブック類等の出し入れを口縁部分に引掛けることなく円滑に行うことを可能にする。
【００１７】
上記（２）と（３）で述べた請求項２及び３に係る各手段によれば、各端面板の口縁部分を折り返し片を折り返して接着することによって、丁度紙でくるんだようにきれいに仕上げることができると共に、細長い先端部を端面板の内側面に折り返して接着するため、機械貼りでも折り返し片を確実に折り返して端面側に接着することができ、また、略角型形状或は湾曲型形状に形成した折り返し片を、同じく略角型形状或は湾曲型形状に形成した切欠部の位置に嵌め合せるため、口縁部分をきれいな二枚重ね構造に仕上げることを可能にする。
【００１８】
上記（４）で述べた手段によれば、左右の舌片を夫々折り線の部分で直角に内折りして、これを他方の側板の端面板に形成した切欠部の位置に嵌め合せた状態で一方の側板の端面板側に沿設させることによって、貼り合せた各端面板と背板との間の各コーナ部分に生じる隙間を内側から段差が無い状態に塞ぐことができるから、ケースの豪華さを更に高めることができると共に、舌片を接着せずに重ねて沿接する構造に成っているため、機械貼りによるケースの自動成形を可能にする。
【００１９】
以上の如くであるから、上記（１）〜（４）で述べた手段によって上述した技術的課題を解決して、前記従来の技術の問題点を解消することができる。
【００２０】
【発明の実施の形態】
以下に、本発明に係るブック等用ケースの実施の形態を、添付した図面と共に詳細に説明する。
【００２１】
図１は本発明に係るブック等用ケースを構成する一枚の板紙Ｔの展開図、図２と図３は組立て時の状態を示した展開図と斜視図、図４はこの板紙Ｔを用いて組立てられたブック等用ケースＴＣの一部破断斜視図であって、図１に示した板紙Ｔは以下の如き展開形状に造られている。
【００２２】
即ち、図中１と２は中間に背板３を介した状態で連設した一方と他方の各側板、１ｄと２ｄは各側板１，２と背板３の境界に形成した折り線、４と５及び７と８は各側板１，２の左右両側に夫々折り線１ａ，１ｂ及び２ａ，２ｂを介して連設した左右の端面板、６と９は各側板１，２の先端長手方向に夫々折り線１ｃ，２ｃを介して連設した両端側の折り返し片、１０と１１は上記一方の側板１の各端面板４，５の外側端部（図面上左端部）に折り線４ａ，５ａを介して連設した端面用の折り返し片、１２，１３は上記他方の側板２の各端面板７，８の外端部に切欠形成した切欠部、１４と１５は背板３の両端部に夫々折り線３ａ，３ｂを介して連設した上下の舌片、６ａ，６ｂと４ｂ，５ｂは切欠溝である。
【００２３】
上記の端面用折り返し片１０，１１は、いずれも根端部側を各端面板７，８の横幅と同じ幅に形成する一方、全体の形状を、図１乃至図５に示すようにこの横幅を次第に細くするための傾斜面１０ａ，１１ａを設け、且つ、傾斜面１０ａ，１１ａの先端側に横幅を半分程にした矩形状の細長い先端部を連設した略角型形状に形成したものと、図６に示すように先端側の横幅が根端部の約半分に成るように次第に細くなるアール面１０ａ′，１１ａ′を備えた略湾曲型形状に形成したものとが存在する。
【００２４】
また、上記の各折り返し片１０，１１を嵌め合せる切欠部１２，１３の形状には、図１乃至図５に示すように、上記の角型折り返し片１０，１１に相対する形状の傾斜部１２ａ，１３ａを備えた全体が略角型形状を成すものと、図６に示すように上記の湾曲型折り返し片１０，１１に相対する形状のアール部１２ａ′，１３ａ′を備えた全体が略湾曲型形状を成すものとが存在する。
【００２５】
更に上述した舌片１４，１５の全体形状は、傾斜面１４ａ，１５ａを有する略直角三角形状に形成され、これを嵌め合せるために上記他方の側板２の各端面板７，８には、その内端部分に三角形状の切欠部７ａ，８ａが切欠形成されている。
【００２６】
以上の如き展開形状に形成された板紙Ｔを用いて図４に示したケースＴＣを組立てるには、先ず、図２に示すように各側板１，２に連設した折り返し片６，９と、端面用の折り返し片１０，１１を、各折り線１ｃ，２ｃ，４ａ，５ａの部分で内側に折り曲げて各側板１，２と端面板４，５の内側面に貼り合わせる。次いで、各側板１，２に連設した上下の各端面板４，５，７，８を図３に示すように各折り線１ａ，１ｂ，２ａ，２ｂの部分で夫々内側に直角に折り曲げると共に、両側板１，２を各内側面同士が相対向するように、また、他方の側板２に連設した上記各端面板７，８の外側面に、一方の側板１に連設した上記各端面板４，５の内側面が重なるように、各折り線１ｄ，２ｄの部分で背板３に対して直角に折り曲げる。
【００２７】
次いで、上記重なった端面板同士４と７及び５と８を、上記の各角型又は湾曲型の各折り返し片１０，１１を各角型又は湾曲型の切欠部１２，１３に嵌め合せるようにして貼り合せることによって、全体を略ボックス状に組立てるのであるが、この時、上下の舌片１０，１１を夫々折り線３ａ，３ｂの部分で折り曲げ、且つ、他方の側板２に連設した上下の端面板７，８に切欠形成した切欠部７ａ，８ａに嵌め合せるようにして、その外側面を上記一方の側板１に連設した上下の端面板４，５の内側面に沿接させることによって、背板３との間に生じる隙間を塞ぐ。
【００２８】
尚、組立てに際して、各側板１，２と背板３の表面側には予め必要な印刷が施されているが、この印刷の点は本発明の要旨外の技術であるから図面の記載は省略した。
【００２９】
本発明に係るブック等用ケースは以上述べた如き構成であるから、図４の状態に組立てられたケースＴＣの差込口ＴＸは、各折り返し片６，９及び１０，１１の折り返しによって左右と上下の各口縁をいずれもくるみ込んだ状態に仕上げられて、各側板１，２と端面板４，５及び７，８の端部が直接露出しないため、見た目の体裁が良くて豪華な印象を与えることができる。
【００３０】
また、差込口ＴＸの周縁はこれ等折り返し片６，９及び１０，１１の折り返しによって補強されて、ブック類の出し入れによって型崩れしたり破損したりすることがないから、従来の豪華型ケースと同様の強度性と耐久性を発揮することができる。
【００３１】
更に、端面板用の各折り返し片１０，１１は予め各端面板４，５側に折り曲げて貼り付けておくことができるため、ケース体ＴＣの全体を機械貼りによって自動的に組立てることを可能にする一方、これ等端面板用の各折り返し片１０，１１は、いずれも相対する形状の切欠部１２，１３の位置に嵌め合せた状態に成るため、差込口ＴＸの端面口縁部分の板紙が三枚重ねになることがなく、体裁が良好でブック類等の出し入れを円滑に行えるケースを提供することができる。
【００３２】
【発明の効果】
以上述べた次第で、本発明に係るブック等用ケースによれば、打抜き形成した一枚の板紙を折り曲げて貼り合せるだけで、従来の豪華型ケースと同様に差込口の周縁をくるみ込んだ状態の高品質なケースを、機械貼りの実施によって低コストにて提供できる経済性を備えるものであって、各種のブック類やＣＤ等の外ケースとして用いて洵に好適なものである。
【図面の簡単な説明】
【図１】本発明に係るブック等用ケースの展開図である。
【図２】組立て時の状態を説明した展開図である。
【図３】同じく組立て時の状態を説明した斜視図である。
【図４】組立てられたブック等用ケースの一部破断斜視図である。
【図５】差込口部分の構造を説明した断面図である。
【図６】差込口部分の他の形態の構造を説明した断面図である。
【図７】従来のブック等用ケースの差込口部分の構造を説明した断面図である。
【図８】図７のＸ−Ｘ線に沿った断面図である。
【図９】従来のケースの斜視図である。
【符号の説明】
１，２                側板
３                    背板
４，５，７，８        上下の端面板
７ａ，８ａ            切欠部
６，９                左右の折り返し片
１０，１１            端面用の折り返し片
１０ａ，１１ａ        傾斜面
１０ａ′，１１ａ′    アール面
１２，１３            切欠部
１２ａ，１３ａ        傾斜部
１２ａ′，１３ａ′    アール部
１４，１５            舌片
１ａ，１ｂ，１ｃ，２ａ，２ｂ，２ｃ，３ａ，３ｂ，４ａ，５ｂ      折り線
Ｔ                    板紙
ＴＣ                  ケース
ＴＸ                  差込口
【図１】
0003566054.tif 000002
【図２】
0003566054.tif 000003
【図３】
0003566054.tif 000004
【図４】
0003566054.tif 000005
【図５】
0003566054.tif 000006
【図６】
0003566054.tif 000007
【図７】
0003566054.tif 000008
【図８】
0003566054.tif 000009
【図９】
0003566054.tif 000010